(57)【特許請求の範囲】
【請求項１】
ウェットティッシュケースの取付具であって、
取付具は、ウェットティッシュケースを支持する基板と、ヒンジを形成する連結部に連設された取付板とからなり、
基板は、上下に配設されたケース支持体と、両ケース支持体の間に位置し、廻動して起立可能とした補助ケース支持体とを具えており、
取付板は、先端に係止鉤を設けており、ウェットティッシュケースを、上下のケース支持体、または上方のケース支持体と補助ケース支持体によって挟持し、ウェットティッシュケースを縦方向、または横方向に支持できるようにしたことを特徴とするウェットティッシュケースの取付具。
【請求項２】
ウェットティッシュケースの取付具であって、
取付具は、ウェットティッシュケースを支持する基板と、ヒンジを形成する連結部に連設された取付板とからなり、
基板は、上部に配設されたケース支持体と、その下方に位置し、上下に間隔を置いて設け、廻動して起立可能とした二個の補助ケース支持体とを具えており、
取付板は、先端に係止鉤を設けており、
ウェットティッシュケースを、ケース支持体と上下いずれかの補助ケース支持体との間に挟持し、ウェットティッシュケースを縦方向、または横方向に支持できるようにしたことを特徴とするウェットティッシュケースの取付具。
【請求項３】
先端に係止鉤を設け、取付板が基板に対して直角に折曲することができ、壁面、または台上に設けた掛止め具に係止できるようにしたことを特徴とする請求項１または２記載のウェットティッシュケースの取付具。
【発明の詳細な説明】
【０００１】
【発明の属する技術分野】
本発明は、ウェットティッシュケース、とくにウエットティッシュケースの取付具に関する。
【０００２】
【発明が解決しようとする課題】
除菌液等を含浸させた清拭用ウェットティッシュ、或いは清掃用ウェットティッシは、従来より使用されているが、ウェットティッシュを収納したウェットティッシュケースはテーブル、机の上、或いは棚上に置かれ、ウェットティッシュを使用する場合に、ウェットティッシュケースを手で保持してウェットティッシュを取出さなければならず、使い勝手がよくないという問題があった。
また、ウェットティッシュケースの置場所を一定の場所に決めていない場合には、ウェットティッシュの使用にあたって、ウェットティッシュケースを探さなければならないという問題があった。
【０００３】
本発明は、上記の問題を解決することを課題とし、ウェットティッシュケースを決まった場所に保管するため、取付具に保持するようにしたウェットティッシュケースの取付具を提供することを目的とする。
【０００４】
【課題を解決するための手段】
本発明は、上記の課題を解決するため、ウェットティッシュケースの取付具として、ウェットティッシュケースの取付具であって、取付具は、ウェットティッシュケースを支持する基板と、ヒンジを形成する連結部に連設された取付板とからなり、基板は、上下に配設されたケース支持体と、両ケース支持体の間に位置し、廻動して起立可能とした補助ケース支持体とを具えており、取付板は、先端に係止鉤を設けており、ウェットティッシュケースを、上下のケース支持体、または上方のケース支持体と補助ケース支持体によって挟持し、ウェットティッシュケースを縦方向、または横方向に支持できるようにしたことを特徴とする構成を採用する。
【０００５】
ケース支持体の実施形態として、ウェットティッシュケースの取付具であって、取付具は、ウェットティッシュケースを支持する基板と、ヒンジを形成する連結部に連設された取付板とからなり、基板は、上部に配設されたケース支持体と、その下方に位置し、上下に間隔を置いて設け、廻動して起立可能とした二個の補助ケース支持体とを具えており、取付板は、先端に係止鉤を設けており、ウェットティッシュケースを、ケース支持体と上下いずれかの補助ケース支持体との間に挟持し、ウェットティッシュケースを縦方向、または横方向に支持できるようにしたことを特徴とする構成を採用し、また、取付板の実施形態として、先端に係止鉤を設け、取付板が基板に対して直角に折曲することができ、壁面、または台上に設けた掛止め具に係止できるようにしたことを特徴とする構成を採用する。
【０００６】
【発明の実施の形態】
次に、本発明の実施形態について、図面を参照して説明する。
図１において、Ａはウェットティッシュケース、Ｂはウェットティッシュケースの取付具である。
ウェットティッシュケースＡには、除菌液等を含浸させた清拭用ウェットティッシュ、掃除用ウェットティッシュ、その他シート状物等が収納されている。
【０００７】
ウェットティッシュケースＡは、ケース本体１と開閉蓋２とを具えており、ケース本体１の基端部には、ケース本体１を巡って取付段部３が設けられている。
開閉蓋２は、その下端がヒンジ４によってケース本体１に連設され、ヒンジ４を軸として開閉自在とされている。
ヒンジ４の反対側には掛止め片（図示しない）が設けられており、ケース本体１に廻動自在に取着された開閉操作板５の係止片に係脱自在に係止されるようになっている。
【０００８】
図２に示すように、取付具Ｂは、基板１０と基板１０にヒンジを形成する薄肉の連結部１１を介して連設された取付板１２とを具えている。
基板１０には、上下に配置されたケース支持体１３，１４が立設されており、ケース支持体１３，１４の間にはウエットティッシュケースＡを横方向に置いたときに用いる補助ケース支持体１５が配設されており、ケース支持体１４の下方には、掛止め具１６が設けられている。
【０００９】
上下のケース支持体１３，１４は、基板１０の所定個所に切込みが入れられ、切込みの端縁から立設された支持基板１７，１８とその上端から相対する方向に延びる支持押え片１９，２０が連設されている。
【００１０】
補助ケース支持体１５は、基板１０の設定個所に入れた切込みの下端縁にヒンジを形成する薄肉の連結部２１によって連設された廻動自在の支持基板２２とその上端に逆Ｌ字状となるよう連設された支持押え２３とからなっている。
支持基板２２の下方には、支持基板２２が下方に廻動された時に基板１０に対して直角になるよう規制する一対のストッパー２４が突設されている。
【００１１】
掛止め具１６は、基板１０の下端部の所定個所に入れられたコ字状の切込みの下端から斜め方向に延びる角形の板体によって形成されている。
【００１２】
取付板１２は、連結部１１を軸として廻動可能となっており、その先端には係止鉤２５が設けられている。
【００１３】
次に、取付具の使用態様と作用効果について説明する。
ウェットティッシュケースＡは、取付具Ｂに対して縦方向、または横方向に置かれて、取付具Ｂに支持される。
ウェットティッシュケースＡを、図１に示す縦方向に置く場合には、ウェットティッシュケースＡの取付段部３を取付具Ｂの上下のケース支持体１３，１４間に嵌挿すると、取付段部３は、支持基板１７，１８の間に挟持され、取付段部３の上部は、支持押え片１９，２０に押圧され、強固に支持される。
【００１４】
ウェットティッシュケースＡを横方向に置く場合には、上方のケース支持体１３と補助ケース支持体１５との間に支持する。
その際、補助ケース支持体１５を起立させるが、支持基板２２を廻動させて起立させ、上のケース支持体１３と起立させた補助ケース支持体１５の内にウェットティッシュケースＡの取付段部３を嵌挿していくと、補助ケース支持体１５は、一定の廻動位置でストッパー２４によってそれ以上の廻動が阻止され、ウェットティッシュケースＡの取付段部３を挟持することになる。
【００１５】
本取付具Ｂは、部屋の壁面、或いはテーブル等の端縁に取付けることができる。
壁面に取付ける場合には、取付板１２の係止鉤２５を壁面に取付けた支持部材Ｃのフックに引っかけることによって取付けられる。
テーブル、机等に取付ける場合には、図３に示すように、取付板１２を連結部１１を軸に折曲げ、台に立設した支持部材Ｃに取付板１２の係止鉤２５を引っかけることによって取付けられる。
【００１６】
ウェットティッシュの取出しは、ウェットティッシュケースＡの開閉操作板５を押圧すると、開閉蓋２が開かれるので、ウェットティッシュを簡単に引出し、使用することができる。
ウェットティッシュケースＡ内のウェットティッシュがなくなった時には、ウェットティッシュケースＡを、その取付段部３をケース支持体１３，１４、或いはケース支持体１３と補助ケース支持体１５の間から引出すことによって、簡単に取替えることができる。
【００１７】
次に、第２実施形態について説明する。
本実施形態は、ウェットティッシュケースＡを、取付具の補助ケース支持体を複数として支持するようにしたものである。
図４に示すように、取付具Ｂａは、前記第１実施形態と同様に、基板３０と基板３０にヒンジを形成する薄肉の連結部３１によって連結された取付板３２とからなっている。
【００１８】
基板３０は、上端部のケース支持体３３と上下二つの補助ケース支持体３４，３５とを具えており、その下方の下端部に掛止め具３６が設けられている。
【００１９】
ケース支持体３３は、前記第１実施形態のケース支持体１３と、補助ケース支持体３４，３５は補助ケース支持体１５と同一であり、掛止め具３６は掛止め具１６と同一の構成であるので、簡単に説明する。
ケース支持体３３は、支持基板３７と支持押え片３８とを具えており、補助ケース支持体３４，３５はそれぞれヒンジを形成する連結部３９ａ，ｂを介して、基板３０に連設された支持基板４０ａ，ｂと支持押え４１ａ，ｂとからなり、その下方には、一対のストッパー４２ａ，ｂが突設されている。
【００２０】
次に、取付具の使用態様と作用効果について説明する。
ウェットティッシュケースＡは、横方向、または縦方向に置いて、取付具Ｂａに支持される。
ウェットティッシュケースＡを横方向に置く場合には、図５に示すように、ウェットティッシュケースＡの取付段部３を取付具Ｂａのケース支持体３３と補助ケース支持体３４の間に嵌挿すると、取付段部３は、支持基板３７と起立させた補助ケース支持体３４の間に挟持され、取付段部３の上部は、支持押え片３８，４１に押圧され、強固に支持される。
【００２１】
ウェットティッシュケースＡを縦方向に置く場合には、上方のケース支持体３３と起立させた補助ケース支持体３５との間に支持する。
【００２２】
取付具Ｂａは、前実施形態と同様にして、垂直な壁面、またはテーブル等の端縁に取着された支持部材Ｃに取付板３２の係止鉤４３を引っかけることによって取付けられる。
【００２３】
【発明の効果】
本発明は、上記のように構成されているから、次の効果を奏する。
取付具が、ウェットティッシュケースを挟持する基板と、基板に対して直角に折曲可能な取付板からなっているから、ウェットティッシュケースを壁面、またはテーブル、台上に係止することができ、一定位置に保管できるようになった。
また、基板にケース支持体と補助支持体を設けたから、ウェットティッシュケースを縦方向にも横方向にも挟持できるようになった。
【図面の簡単な説明】
【図１】本発明のウェットティッシュケースを取付具に取付けた状態の説明図である。
【図２】取付具の説明図である。
【図３】取付具を台の支持部材に取付た時のウェットティッシュケースの説明図である。
【図４】第２実施形態の取付具の説明図である。
【図５】ウェットティッシュケースを取付具に横方向に取付けた状態の説明図である。
【符号の説明】
Ａ          ウェットティッシュケース
Ｂ、Ｂａ    取付具
Ｃ          支持部材
１          ケース本体
２          開閉蓋
３          取付段部
４          ヒンジ
５          開閉操作板
１０、３０  基板
１１、３１  連結部
１２、３２  取付板
１３、１４、３３  ケース支持体
１５、３４、３５  補助ケース支持体
１６、３６        掛止め具
１７、１８、３７  支持基板
１９、２０、３８  支持押え片
２１、３９ａ，ｂ  連結部
２２、４０ａ，ｂ  支持基板
２３、４１ａ，ｂ  支持押え
２４、４２ａ，ｂ  ストッパー
２５、４３  係止鉤
【図１】
0004104841.tif 000002
【図２】
0004104841.tif 000003
【図３】
0004104841.tif 000004
【図４】
0004104841.tif 000005
【図５】
0004104841.tif 000006